(57)【要約】【課題】ガラスの破片や釘などを吸い取っても電気掃除機の内部を痛めることが少なくなり、ガラスの破片や釘が伸縮延長管やホースに詰まったりすることがなくなり、机の引出しの中にある塵や埃だけを吸い取り、引出しの中にある必要な小物の文具類を伸縮延長管やホースに詰まらせず、引出しの中にある必要な小物の文具類を電気掃除機本体に到達させず、カーテンや布団や衣類などの生地の表面に付いた塵や埃などをスムーズに吸い取ることができる電気掃除機で使用する掃除用容器を提供する。【解決手段】（イ）円筒の一方の端部に開口部１を設ける。（ロ）円筒の他方の端部に複数の孔２を有した底部３を設ける。（ハ）開口部１の外縁及び底部３の外縁から外壁の中央部４にかけて低い山形状の膨らみを設ける。以上のごとく構成された電気掃除機で使用する掃除用容器。【選択図】　図１
2004008746.tif 000002
【特許請求の範囲】
【請求項１】
（イ）円筒の一方の端部に開口部１を設ける。
（ロ）円筒の他方の端部に複数の孔２を有した底部３を設ける。
（ハ）開口部１の外縁及び底部３の外縁から外壁の中央部４にかけて低い山形状の膨らみを設ける。
以上のごとく構成された電気掃除機で使用する掃除用容器。
【発明の詳細な説明】
【０００１】
【発明の属する技術分野】
この発明は、電気掃除機で使用する掃除用容器に関するものである。
【０００２】
【従来の技術】
従来、電気掃除機で床などを掃除する場合、隙間ノズルや床ブラシや伸縮延長管などで、床の上などに落ちているゴミや塵や埃などを吸い取っていた。
【０００３】
【発明が解決しようとする課題】
床の上などに落ちているゴミや塵や埃などを吸い取る場合は、これらを一緒に吸い取ることは問題ないが、次のような場合、欠点が生じていた。
１−１．ガラスの破片や釘などを吸い取ると電気掃除機の内部を痛めてしまい、故障の原因になりやすかったので、各メーカーの取扱説明書などには、ガラスの破片や釘などの鋭利なものを吸い込むことを禁じている。
１−２．万一、ガラスの破片や釘などを吸い込んでしまった場合、本体の内部にある紙パックを燃えるゴミとして処分できず、紙パックの中のゴミを、燃えるゴミとガラスの破片や釘などの燃えないゴミに分別しなければならず、これは大変な手間がかかるばかりでなく不衛生であった。
１−３．ガラスの破片や釘などが伸縮延長管やホースに詰まったりして、継続して電気掃除機が使用できなくなったりした。
２−１．伸縮延長管や隙間ノズルを使用して、机の引出しの中にある塵や埃だけを吸い取りたいときは、引出しの中にある必要な小物の文具類までもうっかりして吸い取ってしまい、それが伸縮延長管やホースに詰まったりして、継続して電気掃除機が使用できなくなったりした。
２−２．伸縮延長管や隙間ノズルを使用して、机の引出しの中にある塵や埃だけを吸い取りたいとき、引出しの中にある必要な小物の文具類までもうっかりして吸い取ってしまい、それが電気掃除機本体に到達した場合、電気掃除機の本体をわざわざ分解して、他のゴミの中から必要な小物の文具類を取り出さなければならず、不便で不衛生であった。
２−３．隙間ノズルには、吸い込み口の周囲にブラシを設けたものもあるが、ブラシの間から空気が入り吸い込む力が弱くなり、思うように塵や埃が吸い取れないことがあったり、ブラシに塵や埃が付着して不衛生であった。
３−１．カーテンや布団や衣類などの生地の表面に付いた塵や埃などを、床ブラシを付けないで伸縮延長管で吸い取る場合、カーテンや布団や衣類なども吸い込んでしまう。この場合、生地を手で強く抑えたり、電源を切って吸い込んだカーテンや布団や衣類などを伸縮延長管から取り出してから、伸縮延長管を移動しなければならず不便であった。
３−２．カーテンや布団や衣類などの生地の表面に付いた塵や埃などを、吸い込み口の周囲にブラシを設けた隙間ノズルで吸い取る場合、ブラシの間から空気が入り吸い込む力が弱くなり、思うように塵や埃が吸い取れないことがあったり、ブラシに塵や埃が付着して不衛生であった。
本発明は、以上の欠点を解決するためになされたものである。
【０００４】
【課題を解決するための手段】
本発明を図１及び図２で説明する。
（イ）円筒の一方の端部に開口部１を設ける。
（ロ）円筒の他方の端部に複数の孔２を有した底部３を設ける。
（ハ）開口部１の外縁及び底部３の外縁から外壁の中央部４にかけて低い山形状の膨らみを設ける。
本発明は、以上のごとく構成された電気掃除機で使用する掃除用容器である。
【０００５】
【発明の実施の形態】
本発明は、前記のように構成になっているので、目的によって使い方を次のように変えればよい。
初めに、床の上に散らばっているガラスの破片や釘などを吸い取る場合は、次の手順による。（図３）
手順１．容器の底部３のある側を伸縮延長管５の入口６に差し込む。容器の外壁は、開口部１の外縁及び底部３の外縁から外壁の中央部４にかけて低い山形状に膨らんでいるため、伸縮延長管５の入口６の大きさがメーカーによって多少異なっていても、容器を容易に差し込むことができる。
手順２．電気掃除機の電源を入れる。
手順３．容器の開口部１をガラスの破片や釘などに向ける。
手順４．ガラスの破片や釘などが開口部１から吸い込まれ、電気掃除機の内部を痛めにくい孔２より小さいガラスの破片は、孔２を通過して電気掃除機の本体に到達するが、電気掃除機の内部を痛めやすい孔２より大きいガラスの破片や釘などは底部３に溜まる。
手順５．吸い込みを終わりにしたい時は開口部１を上に向ける。
手順６．開口部１を上に向けたまま、電気掃除機の電源を切る。
手順７．開口部１を上に向けたまま、容器を伸縮延長管５から取り出す。
手順８．取り出した容器の開口部１を下に向けて、ガラスの破片や釘などをゴミ箱などに捨てる。
【０００６】
次に、机の引出しの中にある塵や埃を吸い取る場合は、次の手順による。
（図３）
手順１．容器の底部３のある側を伸縮延長管５の入口６に差し込む。容器の外壁は、開口部１の外縁及び底部３の外縁から外壁の中央部４にかけて低い山形状に膨らんでいるため、伸縮延長管５の入口６の大きさがメーカーによって多少異なっていても、容器を容易に差し込むことができる。
手順２．電気掃除機の電源を入れる。
手順３．容器の開口部１を机の引出しの中に向ける。
手順４．塵や埃や小物の文具類は開口部１から吸い込まれ、孔２より小さい塵や埃は孔２を通過して電気掃除機の本体に到達するが、孔２より大きな小物の文具類は底部３に溜まる。
手順５．吸い込みを終わりにしたい時は、電気掃除機の電源を切る。
手順６．底部３に溜まった小物の文具類が、開口部１から机の引出しの中に落ちる。
手順７．落ちた小物の文具類を机の引出しの中で整理する。
【０００７】
次に、カーテンや布団や衣類などの表面に付いた塵や埃などを吸い取る場合は、次の手順による。（図４）
手順１．容器の開口部１のある側を伸縮延長管５の入口６に差し込む。容器の外壁は、開口部１の外縁及び底部３の外縁から外壁の中央部４にかけて膨らんでいるため、伸縮延長管５の入口６の大きさがメーカーによって多少異なっていても、容器を容易に差し込むことができる。
手順２．電気掃除機の電源を入れる。
手順３．容器の底部３をカーテンや布団や衣類などに向ける。
手順４．塵や埃などが底部３に設けた孔２から吸い込まれ、孔２より小さい塵や埃などは孔２を通過して電気掃除機の本体に到達するが、孔より大きなカーテンや布団や衣類などの生地は吸い込まれない。これは、底部３の孔２が設けられていない部分がカーテンや布団や衣類などを抑える働きをするためである。このため、生地が吸い込まれにくくなり、底部３が生地上をスムーズに移動できる。
手順５．吸い込みを終わりにしたい時は、電気掃除機の電源を切る。
【０００８】
【発明の効果】
本発明を使用することによって、次のような効果を生む。
１−１．ガラスの破片や釘などを吸い取っても、電気掃除機の内部を痛めにくい孔２より小さいガラスの破片は、孔２を通過して電気掃除機の本体に到達するが、電気掃除機の内部を痛めやすい孔２より大きいガラスの破片や釘などは底部３に溜まるので、電気掃除機の内部を痛めることが少なくなり、故障の原因になりにくくなる。
１−２．万一、ガラスの破片や釘などを吸い取っても、それらは電気掃除機の本体に到達しないから、紙パックもその中のゴミも燃えるゴミとして処分できるので、ガラスの破片や釘などを燃えるゴミと分別する必要がなくなり、手間が大幅に省けるばかりでなく不衛生さが大きく減少する。
１−３．ガラスの破片が伸縮延長管やホースに詰まったりすることがなくなり、継続して電気掃除機が使用できる。
２−１．伸縮延長管や隙間ノズルを使用して、机の引出しの中にある塵や埃だけを吸い取りたいとき、引出しの中にある必要な小物の文具類までもうっかりして吸い取ってしまっても、それが伸縮延長管やホースに詰まったりすることがなくなり、継続して電気掃除機が使用できる。
２−２．伸縮延長管や隙間ノズルを使用して、机の引出しの中にある塵や埃だけを吸い取りたいとき、引出しの中にある必要な小物の文具類までもうっかりして吸い取ってしまっても、それが電気掃除機本体に到達することはなくなる。このため、電気掃除機の本体をわざわざ分解して、他のゴミの中から必要な小物の文具類を取り出すようなことがなくなるので、不便さや不衛生さは少なくなる。
２−３．本発明によって、吸い込み口の周囲にブラシを設けた隙間ノズルを使用しないので、ブラシの間から空気が入り吸い込む力が弱くなり、思うように塵や埃が吸い取れないことがあったり、ブラシに塵や埃が付着して不衛生であったりなどの、ブラシを設けた隙間ノズルの欠点は解消される。
３−１．カーテンや布団や衣類などの生地の表面に付いた塵や埃などを、床ブラシを付けないで伸縮延長管で吸い取る場合、底部３の孔２が設けられていない部分が生地を抑える働きをするので、カーテンや布団や衣類などを吸い込むことはなくなるので、生地を手で強く抑えなくても電源を切る必要もなくなり、底部３が生地上をスムーズに移動できる。
３−２．本発明によって、吸い込み口の周囲にブラシを設けた隙間ノズルを使用しないので、ブラシの間から空気が入り吸い込む力が弱くなり、思うように塵や埃が吸い取れないことがあったり、ブラシに塵や埃が付着して不衛生であったなどの、ブラシを設けた隙間ノズルの欠点は解消される。
【０００９】
【他の実施例】
本発明を中央部４で底部３に並行に切断すると、底部３を設けた方と開口部１を設けた方に二分される。
底部３を設けた方（図５）は、ガラスの破片や机の引出しの中にある塵や埃だけを吸い取りたいときなどに使用する。
開口部１を設けた方は、開口部１とは反対の開口部に複数の孔７を有した底部８を設け（図７）、カーテンや布団や衣類などの生地の表面に付いた塵や埃などを吸い取りたいときなどに使用する。
【００１０】
本発明は、底部の孔の大きさを変えれば、その利用範囲は広く、工業用にも使用できる。
例えば、切子が混じった切削油を、切子と切削油を容易に別々に回収でき、切子と切削油の再活用がしやすくなる。
また、米と豆が混在してしまった場合、米と豆を容易に別々に回収できる。
【図面の簡単な説明】
【図１】本発明の斜視図である。
【図２】本発明の断面斜視図である。
【図３】本発明の実施例を示した斜視図である。
【図４】本発明の実施例を示した斜視図である。
【図５】本発明の他の実施例を示した斜視図である。
【図６】本発明の他の実施例を示した断面斜視図である。
【図７】本発明の他の実施例を示した斜視図である。
【図８】本発明の他の実施例を示した断面斜視図である。
【符号の説明】
１　開口部　　２　孔　　３　底部　　４　中央部
５　伸縮延長管　　６　入口　　７　孔　　８　底部
【図１】
2004008746.tif 000003
【図２】
2004008746.tif 000004
【図３】
2004008746.tif 000005
【図４】
2004008746.tif 000006
【図５】
2004008746.tif 000007
【図６】
2004008746.tif 000008
【図７】
2004008746.tif 000009
【図８】
2004008746.tif 000010